(57)【特許請求の範囲】
【請求項１】
丸編機を用いて編成され脚部に装着するニット製品であって、前記ニット製品の本体部にシンガードを挿入可能とする上下一対の上側袋部と下側袋部が形成され、前記本体部と前記上下一対の上側袋部と下側袋部は丸編機で連続編成した編地により構成され、前記本体部から連続編成される前記上側袋部との境界領域には上側開口部が形成され、前記上側袋部の内部には上側収納空間が設けられると共に、前記下側袋部から連続編成される前記本体部との境界領域には下側開口部が形成され、前記下側袋部の内部には下側収納空間が設けられ、前記上下一対の上側袋部と下側袋部の境界領域を含む前記本体部の周方向に締付力を付与するために伸縮性の強い編地組織が配置されていることを特徴とするシンガード保持用袋部付きニット製品。
【請求項２】
前記上下一対の上側袋部と下側袋部の周縁端部の一部又は全部が前記本体部に縫着されていることを特徴とする請求項１に記載のシンガード保持用袋部付きニット製品。
【請求項３】
前記上下一対の上側袋部と下側袋部を編成する糸は前記本体部を編成する糸と伸縮性が異なる糸を使用したことを特徴とする請求項１又は請求項２に記載のシンガード保持用袋部付きニット製品。
【請求項４】
前記上下一対の上側袋部と下側袋部を編成する糸は前記本体部を編成する糸と色彩が異なる糸を使用したことを特徴とする請求項１乃至請求項３のいずれか１項に記載のシンガード保持用袋部付きニット製品。
【発明の詳細な説明】
【技術分野】
【０００１】
本発明は、シンガードの装着又は交換が容易であり、シンガードを収納した状態で安定的に保持できるシンガード保持用袋部付きニット製品に関する。
【背景技術】
【０００２】
サッカーやラグビー等の競技においては、足の脛部分を保護する目的でシンガード又はレガースと称する脛当て具（以下、「シンガード」という）を使用するよう指導されており、特に試合の際にはシンガ−ドを使用することが義務づけられている。しかし、シンガ−ドは、競技中に激しい動きや接触によってずれるため、粘着性を有するテープやベルト状の保持具等で脛部分に直接取り付けるのが一般的であった。
【０００３】
特開平１１−２０６９４８号公報（特許文献１）には、激しいゲ−ム中にもずれることなく、着用時に圧迫感がなく、専用具を必要とせず、怪我や破れの恐れがない「サッカー用シンガ−ドの固定方法とそのためのストッキング類とシンガード」が提案されている。
【０００４】
一方、プロテクターなどの物品を挿入できるように改良を施したポケット又は袋を有する靴下又はサポータについて、以下に示すような先行技術が提案されている。
【０００５】
実用新案登録第３１７４９８１号公報（特許文献２）には、プロテクターや使い捨て懐炉などの物品を挿入でき、足裏或いは足甲部へと位置変更自在なポケットを有する靴下を提供することを目的とし、丸編み機を使用して靴下を編成する途中で、編み針を休止させて往復動で袋状ポケット部を構成する帯状編地を形成する、帯状編地の途中に踵部の形成方法と同様の方法で膨出部を形成する「ポケット付靴下」が提案されている。
【０００６】
特開２０１１−２６７４９号公報（特許文献３）には、袋を有しつつ、製品本体の伸縮性には影響を与えることがないようにすることを目的とし、サポータは、製品本体（サポータ本体）から連続する丸編みニットで開口部を有する袋が形成され、この袋に関節を保護するパッド（収納部品）が収納され、袋の開口部が袋生地の間で縫合されることにより閉塞されて、筒状の製品本体の内側に配されている「袋付き丸編みニット製品」が提案されている。
【０００７】
特開平１０−２８０２０２号公報（特許文献４）には、袋部の入口が外部に露見せず、且つ、ソックス自体のサポート力を損なわずにプロテクター等の物品を確実に挿入，保持できると共に、製造コスト的にも有利なソックスを提供することを目的とし、脚部と一体にダブルウエルトに編成され内外二重の編地からなる外層側穿口部と、該外層側穿口部の内側編地端部に連続する内層側穿口部とを有し、且つ、それらの連続部分に、筒状編地の略半周に相当するウエールのみを正逆転編成することによって袋部を形成し、プロテクター等を挿入可能とした。また、１乃至は数本置きに編針を不作用位置とした状態で跣部側から編み始め、足首部から脚部にかけての編成において、１乃至は数コースの編成毎に、１乃至は数本ずつ編針を増やし、脚部の略上半分から穿口部にかけては全編針で編成することによって、脚部以上の部分を漸次拡径した「ソックス」が提案されている。
【先行技術文献】
【特許文献】
【０００８】
【特許文献１】特開平１１−２０６９４８号公報
【特許文献２】実用新案登録第３１７４９８１号公報
【特許文献３】特開２０１１−２６７４９号公報
【特許文献４】特開平１０−２８０２０２号公報
【発明の概要】
【発明が解決しようとする課題】
【０００９】
しかし、特許文献１に記載のサッカー用シンガ−ドの固定方法では、係止具を別個に必要とするため部品コストがかかり且つシンガ−ドを取り付ける手間もかかるという問題を有している。また、特許文献２に記載のポケット付靴下では、開口したポケット上部からプロテクターを挿入するため、使用中に飛び出すおそれがあるという問題を有している。また、特許文献３に記載の袋付き丸編みニット製品では、シンガードを自由に装着又は交換することができないという問題を有している。また、特許文献４に記載のソックスでは、袋部の挿入口が外層側穿口部と内層側穿口部の層間に位置して外側に露見しない構造であるため、シンガードを挿入しづらいという問題を有している。
【００１０】
そこで、本発明は、上記問題に鑑みて出願人が鋭意開発したものであり、シンガードの装着又は交換が容易であり、シンガードを収納した状態で安定的に保持でき、更には締付け効果を維持したままシンガードを装着することができるシンガード保持用袋部付きニット製品を提供することを目的とする。
【課題を解決するための手段】
【００１１】
上記の課題を解決するために、請求項１に記載の発明は、丸編機を用いて編成され脚部に装着するニット製品であって、前記ニット製品の本体部にシンガードを挿入可能とする上下一対の上側袋部と下側袋部が形成され、前記本体部と前記上下一対の上側袋部と下側袋部は丸編機で連続編成した編地により構成され、前記本体部から連続編成される前記上側袋部との境界領域には上側開口部が形成され、前記上側袋部の内部には上側収納空間が設けられると共に、前記下側袋部から連続編成される前記本体部との境界領域には下側開口部が形成され、前記下側袋部の内部には下側収納空間が設けられ、前記上下一対の上側袋部と下側袋部の境界領域を含む前記本体部の周方向に締付力を付与するために伸縮性の強い編地組織が配置されていることを特徴とする。
【００１３】
また、請求項２に記載の発明は、請求項１に記載の前記上下一対の上側袋部と下側袋部の周縁端部の一部又は全部が前記本体部に縫着されていることを特徴とする。
【００１４】
また、請求項３に記載の発明は、請求項１又は請求項２に記載の前記上下一対の上側袋部と下側袋部を編成する糸は前記本体部を編成する糸と伸縮性が異なる糸を使用したことを特徴とする。
【００１５】
また、請求項４に記載の発明は、請求項１乃至請求項３に記載の前記上下一対の上側袋部と下側袋部を編成する糸は前記本体部を編成する糸と色彩が異なる糸を使用したことを特徴とする。
【発明の効果】
【００１６】
以上のように、本発明にかかるシンガード保持用袋部付きニット製品によれば、本体部に上下一対の袋部が形成されているので、シンガードの装着又は交換が容易である。また、上下一対の袋部の内部にシンガードを収納した状態で安定的に保持することができる。
【００１７】
更には、上下一対の袋部の境界領域に本体部の周方向に締付力を付与するために伸縮性の強い編地組織が配置された締付部が形成されているので、締付け効果を維持したままシンガードを装着して使用することができる。
【００１８】
加えて、上下一対の袋部を編成する糸は本体部を編成する糸と伸縮性又は色彩が異なる糸を使用したので、機能性又はデザイン性を高めることができる。
【図面の簡単な説明】
【００１９】
【図１】本発明にかかるニット製品（サポータ）の実施形態の一例を示す正面図である。
【図２】図１に示すニット製品（サポータ）の側面図である。
【図３】図１に示すニット製品（サポータ）の一部拡大断面図である。
【図４】図１に示すニット製品（サポータ）にシンガードを挿入した状態を表す一部拡大断面図である。
【図５】図１に示すニット製品（サポータ）の使用状態を表す説明図である。
【図６】図１に示すニット製品（サポータ）の別の使用例を示す正面図である。
【図７】図６に示す別の使用例におけるシンガードを挿入した状態を表す一部拡大断面図である。
【図８】本発明にかかるニット製品（ソックス）の使用状態を表す説明図である。
【発明を実施するための形態】
【００２０】
以下、本発明の実施形態について図面を参酌しながら説明する。本発明にかかるニット製品は、丸編機を用いて編成されるものであって、且つ運動時に脚部に装着するサポータ、ソックスなどを対象としているが、パッド等を収納する各種サポータにも適用することができる。また、実施例で説明するサポータ、ソックスなどの具体的な構成については、図示する内容に限定されるものではなく、使用状況によって適宜変更できる。
【００２１】
図１は本発明にかかるニット製品（サポータ）の実施形態の一例を示す正面図、図２は図１に示すニット製品（サポータ）の側面図である。
【００２２】
本発明にかかるサポータ１０は、両端開口の円筒状の本体部１１を有し、両端開口の口編部周辺には、本体部１１の周方向に締付力を付与するために伸縮性の強い編地組織（糸ゴムその他の弾性糸を編み込んで形成）が配置された第１締付部１２及び第２締付部１３が形成されている。
【００２３】
図１及び図２に示すように、本体部１１の略中間の位置には、後述するシンガードを挿入可能とする上下一対の袋部（上側袋部１４、下側袋部１５）が丸編機を用いて本体部１１と連続編成した編地により形成されている。上下一対の袋部の構成については、図３に示すように、本体部１１から連続編成される上側袋部１４との境界領域には上側開口部１４ａが形成され、上側袋部１４の内部には上側収納空間１４ｂが設けられる。また、下側袋部１５から連続編成される本体部１１との境界領域には下側開口部１５ａが形成され、下側袋部１５の内部には下側収納空間１５ｂが設けられる。また、上下一対の袋部（上側袋部１４、下側袋部１５）の周縁端部の一部又は全部を本体部１１に縫着することができる（図示省略）。なお、上下一対の袋部（上側袋部１４、下側袋部１５）の形状、大きさ、位置及び個数等は図示する内容に限定されるものではなく適宜変更（例えば、脛側と脹脛側の両方に上下一対の袋部を形成）してもよい。
【００２４】
また、図１乃至図３に示すように、上下一対の袋部（上側袋部１４、下側袋部１５）の境界領域には、本体部１１の周方向に締付力を付与するために伸縮性の強い編地組織（糸ゴムその他の弾性糸を編み込んで形成）が配置された第３締付部１６が形成されている。なお、上下一対の袋部（上側袋部１４、下側袋部１５）の境界領域の間隔を広げて各袋部を離して配置してもよい。
【００２５】
上下一対の袋部（上側袋部１４、下側袋部１５）にシンガードを装着する際は、図４に示すように、本体部１１の内側からシンガードＡの上半分を上側袋部１４に挿入するとともに、シンガードＡの下半分を下側袋部１５に挿入することにより簡単に装着して使用することができる（図５参照）。
【００２６】
なお、本発明にかかるサポータ１０を使用する場合は、その上に別途ソックスを着用することになる。また、ソックスを上から着用する場合は、図６に示す別の使用例のように、上下一対の袋部（上側袋部１４、下側袋部１５）を本体部１１の内側に挿入した状態で、本体部１１の外側からシンガードＡの上半分を上側袋部１４に挿入するとともに、シンガードＡの下半分を下側袋部１５に挿入して使用することもできる（図７参照）。
【００２７】
また、上下一対の袋部（上側袋部１４、下側袋部１５）を編成する糸の種類を適宜変更することにより、機能性やデザイン性を高めて品質向上を図ることができる。具体的には、上下一対の袋部（上側袋部１４、下側袋部１５）を編成する糸は本体部１１を編成する糸と伸縮性が異なる糸を使用する。この場合、上下一対の袋部（上側袋部１４、下側袋部１５）を編成する糸を伸縮性が高い糸を使用することにより、競技中に激しい動きや接触による衝撃を吸収又は緩和して袋部内にシンガードをより安定的に保持することができる。また、上下一対の袋部（上側袋部１４、下側袋部１５）を編成する糸は本体部１１を編成する糸と色彩が異なる糸を使用する。この場合、上下一対の袋部（上側袋部１４、下側袋部１５）を本体部１１と異なる色彩を有する色糸を使用することにより、デザイン性を高めることができる。
【００２８】
以上のようなシンガード保持用袋部付きニット製品（サポータ）を使用する場合、本体部１１に上下一対の袋部（上側袋部１４、下側袋部１５）が形成されているので、シンガードの装着又は交換が容易であり、上下一対の袋部（上側袋部１４、下側袋部１５）の内部にシンガードを収納した状態で安定的に保持することができ、更には上側袋部１４と下側袋部１５の境界領域には、本体部１１の周方向に締付力を付与するために伸縮性の強い編地組織が配置された第３締付部１６が形成されているので、締付け効果を維持したままシンガードを装着して使用することができる。
【００２９】
次に、本発明にかかるニット製品（ソックス）の実施形態の一例について説明する。図８は本発明にかかるニット製品（ソックス）の使用状態を表す説明図である。なお、上下一対の袋部の構成については、上述したサポータの実施例と共通するため、図３及び図４を参照しながら説明する。
【００３０】
本発明にかかるソックス２０は、円筒状の本体部２１を有し、口編部周辺には本体部２１の周方向に締付力を付与するために伸縮性の強い編地組織（糸ゴムその他の弾性糸を編み込んで形成）が配置された第１締付部２２と、足首部周辺には本体部２１の周方向に締付力を付与するために伸縮性の強い編地組織（糸ゴムその他の弾性糸を編み込んで形成）が配置された第２締付部２３と、足甲部周辺には本体部２１の周方向に締付力を付与するために伸縮性の強い編地組織（糸ゴムその他の弾性糸を編み込んで形成）が配置された第３締付部２４が形成されている。
【００３１】
図８に示すように、本体部２１の足の脛部分の位置には、シンガードを挿入可能とする上下一対の袋部（上側袋部２５、下側袋部２６）が丸編機を用いて本体部２１と連続編成した編地により形成されている。上下一対の袋部の構成については、上述したサポータの実施例と同様に、本体部２１から連続編成される上側袋部２５との境界領域には上側開口部が形成され、上側袋部２５の内部には上側収納空間が設けられる（図３参照）。また、下側袋部２６から連続編成される本体部２１との境界領域には下側開口部が形成され、下側袋部２６の内部には下側収納空間が設けられる（図３参照）。また、内部にシンガードを収納した状態で安定的に保持するため、上下一対の袋部（上側袋部２５、下側袋部２６）の周縁端部の全部が本体部２１に縫着されている（図示省略）。なお、上下一対の袋部（上側袋部２５、下側袋部２６）の形状、大きさ、位置及び個数等は図示する内容に限定されるものではなく適宜変更（例えば、脛側と脹脛側の両方に上下一対の袋部を形成）してもよい。
【００３２】
また、図８に示すように、上下一対の袋部（上側袋部２５、下側袋部２６）の境界領域には、本体部２１の周方向に締付力を付与するために伸縮性の強い編地組織（糸ゴムその他の弾性糸を編み込んで形成）が配置された第４締付部２７が形成されている。なお、上下一対の袋部（上側袋部２５、下側袋部２６）の境界領域の間隔を広げて各袋部を離して配置してもよい。
【００３３】
上下一対の袋部（上側袋部２５、下側袋部２６）にシンガードを装着する際は、本体部２１の内側からシンガードの上半分を上側袋部２５に挿入するとともに、シンガードの下半分を下側袋部２６に挿入することにより簡単に装着して使用することができる（図４参照）。
【００３４】
また、上下一対の袋部（上側袋部２５、下側袋部２６）を編成する糸の種類を適宜変更することにより、機能性やデザイン性を高めて品質向上を図ることができる。具体的には、上下一対の袋部（上側袋部２５、下側袋部２６）を編成する糸は本体部２１を編成する糸と伸縮性が異なる糸を使用する。この場合、上下一対の袋部（上側袋部２５、下側袋部２６）を編成する糸を伸縮性が高い糸を使用することにより、競技中に激しい動きや接触による衝撃を吸収又は緩和して袋部内にシンガードをより安定的に保持することができる。また、上下一対の袋部（上側袋部２５、下側袋部２６）を編成する糸は本体部２１を編成する糸と色彩が異なる糸を使用する。この場合、上下一対の袋部（上側袋部２５、下側袋部２６）を本体部２１と異なる色彩を有する色糸を使用することにより、デザイン性を高めることができる。
【００３５】
以上のようなシンガード保持用袋部付きニット製品（ソックス）を使用する場合、本体部２１に上下一対の袋部（上側袋部２５、下側袋部２６）が形成されているので、シンガードの装着又は交換が容易であり、上下一対の袋部（上側袋部２５、下側袋部２６）の内部にシンガードを収納した状態で安定的に保持することができ、更には上側袋部２５と下側袋部２６の境界領域には、本体部２１の周方向に締付力を付与するために伸縮性の強い編地組織が配置された第４締付部２７が形成されているので、締付け効果を維持したままシンガードを装着して使用することができる。
【符号の説明】
【００３６】
Ａ  シンガード
１０  サポータ
１１  本体部
１２  第１締付部
１３  第２締付部
１４  上側袋部
１４ａ  上側開口部
１４ｂ  上側収納空間
１５  下側袋部
１５ａ  下側開口部
１５ｂ  下側収納空間
１６  第３締付部
２０  ソックス
２１  本体部
２２  第１締付部
２３  第２締付部
２４  第３締付部
２５  上側袋部
２６  下側袋部
２７  第４締付部
【図１】
0005867969.tif 000002
【図２】
0005867969.tif 000003
【図３】
0005867969.tif 000004
【図４】
0005867969.tif 000005
【図５】
0005867969.tif 000006
【図６】
0005867969.tif 000007
【図７】
0005867969.tif 000008
【図８】
0005867969.tif 000009